(57)【要約】【課題】本発明は、コンパクトでありながら、局部洗浄ノズル周りに付着した水垢等を容易に清掃することができる便器構造を提供すること。【解決手段】本発明の便器構造は、局部洗浄ノズル３を出し入れ自在に設けた局部洗浄ユニット４を、着座時において便座開口部より後下方に局部洗浄ノズル３が位置するように設け、収納状態の局部洗浄ノズル３の下方に、局部洗浄ノズル３から滴下する液体Ｓを受けて便器のボウル部１へ流すための滴下受け流し部７を局部洗浄ユニット４に着脱自在に設ける。【選択図】図１
2011026901.tif 000002
【特許請求の範囲】
【請求項１】
局部洗浄ノズルを出し入れ自在に設けた局部洗浄ユニットを、着座時において便座開口部より後下方に該局部洗浄ノズルが位置するように設け、収納状態の局部洗浄ノズルの下方に、局部洗浄ノズルから滴下する液体を受けて便器のボウル部へ流すための滴下受け流し部を局部洗浄ユニットに着脱自在に設けたことを特徴とする便器構造。
【請求項２】
上記滴下受け流し部の両側から後部に亘って水止め用突起を上方に突出させ、該滴下受け流し部の両側端に取り付け部を設け、上記局部洗浄ユニットに被取り付け部を設け、該被取り付け部に該取り付け部を便器ボウル部側からスライドさせて着脱可能としたことを特徴とする請求項１記載の便器構造。
【発明の詳細な説明】
【技術分野】
【０００１】
本発明は、局部洗浄ノズルを出し入れ自在に設けた局部洗浄ユニットを有する便器構造に関するものである。
【背景技術】
【０００２】
近年、局部洗浄ノズルを出し入れ自在に設けた局部洗浄ユニットを有する便器構造においては、局部洗浄ノズル本体だけでなく、局部洗浄ノズル周りも含め、清潔な状態で使用できるものが求められている。
【０００３】
例えば、図５、図６（ａ）及び図６（ｂ）に示す特許文献１に記載の便器構造においては、局部洗浄ノズル３の出し入れ動作に応じて回動する開閉蓋１２ａを、局部洗浄ノズル３を出し入れする局部洗浄ユニット４の開口部２ａに設けて、汚水やほこりなどが便器のボウル部１側から局部洗浄ノズル３部分に侵入することを防止する便器構造が提案されている。
【０００４】
しかし、このような便器構造であっても、局部洗浄ノズル３を局部洗浄ユニット４に収納した際に局部洗浄ノズル３内に残っていた液体が局部洗浄ユニット４に滴下することで付着する水垢等を清掃できるような構造は備えておらず、付着した場合は掃除がし難いという問題があった。
【０００５】
ここで、局部洗浄ノズル３周りを清潔な状態とするためには、例えば、局部洗浄ノズル３周りにブラシなどを挿入して清掃できる空間を確保することが考えられるが、コンパクト化が求められる近年の便器構造においては、その空間の確保が難しいという問題があった。
【先行技術文献】
【特許文献】
【０００６】
【特許文献１】特開２００８−９５４６０号公報
【発明の概要】
【発明が解決しようとする課題】
【０００７】
本発明は、コンパクトでありながら、局部洗浄ノズル周りに付着した水垢等を容易に清掃することができる便器構造を提供することを課題とする。
【課題を解決するための手段】
【０００８】
上記課題を解決するための本発明の便器構造は、局部洗浄ノズル３を出し入れ自在に設けた局部洗浄ユニット４を、着座時において便座開口部より後下方に局部洗浄ノズル３が位置するように設け、収納状態の局部洗浄ノズル３の下方に、局部洗浄ノズル３から滴下する液体Ｓを受けて便器のボウル部１へ流すための滴下受け流し部７を局部洗浄ユニット４に着脱自在に設けたことを特徴とする。
【０００９】
このような構造とすることで、滴下受け流し部７で、局部洗浄ノズル３内に残っていた液体Ｓを受けて便器のボウル部１に流すことができるので、局部洗浄ユニット４に水垢等を付着させることがなく、さらに、滴下受け流し部７を局部洗浄ユニット４から取り外しできるので、滴下受け流し部７に付着した水垢等を清掃することができる。
【００１０】
また、上記滴下受け流し部７の両側から後部に亘って水止め用突起８を上方に突出させ、該滴下受け流し部７の両側端に取り付け部９を設け、上記局部洗浄ユニット４に被取り付け部１０を設け、該被取り付け部１０に該取り付け部９を便器ボウル部１側からスライドさせて着脱可能とすることが好ましい。
【００１１】
このような構造とすることで、水止め用突起８で、局部洗浄ノズル３から滴下した液体Ｓが滴下受け流し部７の両側方や後方に流れて局部洗浄ユニット４にこぼれてしまうことを確実に防ぐことができる。また、滴下受け流し部７を便器のボウル部１側から局部洗浄ユニット４にスライドさせて着脱可能としたことで、もし滴下受け流し部７に液体Ｓが残っていて便器のボウル部１側にスライドさせて取り外す途中でこぼれてしまっても、便器のボウル部１に流れるので、局部洗浄ユニット４や床にこぼれることはない。また、滴下受け流し部７に液体Ｓが残っていても、滴下受け流し部７を局部洗浄ユニット４からボウル部１側に外してそのままボウル部１に液体Ｓを捨てることができる。
【発明の効果】
【００１２】
本発明は、局部洗浄ノズル周りに付着した水垢等を容易に清掃することができるという効果がある。
【００１３】
また、滴下受け流し部に水止め用突起を設け、便器のボウル部側にスライドさせて着脱自在としたことで、局部洗浄ノズルから滴下した液体を局部洗浄ユニットや床にこぼすことなく、便器のボウル部に受け流すことができるという効果がある。
【図面の簡単な説明】
【００１４】
【図１】本発明の実施形態１の便器構造の全体斜視図を示す。
【図２】（ａ）は上記実施形態１の局部洗浄ノズル部分の斜視図を示し、（ｂ）は上記実施形態１の滴下受け流し部の取り付け状態の斜視図を示す。
【図３】上記実施形態１の局部洗浄ノズル部分における図２（ａ）のＸ−Ｘ線矢視断面図を示す。
【図４】本発明の実施形態２の局部洗浄ノズル部分における断面図を示す。
【図５】従来例の便器構造の全体斜視図を示す。
【図６】（ａ）は上記従来例の局部洗浄ノズル部分の斜視図を示し、（ｂ）は上記従来例の局部洗浄ノズル部分における図６（ａ）のＹ−Ｙ線矢視断面図を示す。
【発明を実施するための形態】
【００１５】
以下、本発明を図に示す実施形態の便器構造に基づいて説明する。
【００１６】
本発明の実施形態１の便器構造は、図１に示すように、ボウル部１と、ボウル部１の上端部に設けたリム部２と、ボウル部１を囲むスカート部６等からなる便器本体に、局部洗浄ユニット４を備えたものである。ボウル部１の底部には、排水口（図示せず）が開設されている。リム部２の内周壁の後部には、後述する局部洗浄ノズル３の出入り口、及び乾燥装置１１からの乾燥風の送風口として、ノズル用リム開口部２ａ、送風用リム開口部２ｂが開設されている。また、ノズル用リム開口部２ａ、送風用リム開口部２ｂにはそれぞれ、上端を枢支されたノズル開閉蓋１２ａ、送風開閉蓋１２ｂが設けられている。局部洗浄ノズル３及び乾燥装置１１の不使用時には、ノズル用リム開口部２ａ、送風用リム開口部２ｂは、ノズル開閉蓋１２ａ、送風開閉蓋１２ｂのそれぞれの自重によって閉じられた状態となっており、ボウル部１からの汚水が浸入しにくい構造となっている。
【００１７】
図１および図２（ａ）に示すように、局部洗浄ユニット４は、基台４ａに局部洗浄ノズル３及び乾燥装置１１等を装備したものであり、着座時において便座開口部より後下方に局部洗浄ノズル３が位置するように便器本体に設けられている。局部洗浄ノズル３は、局部洗浄ユニット４のノズルガイド筒１３内に設けられていて、基台４ａ前面からノズル用リム開口部２ａを通じてボウル部１方向に出し入れ自在になっている。ノズルガイド筒１３の先端は、基台４ａの前面開口部４ｂに位置している。前面開口部４ｂは、ノズル用リム開口部２ａの後方に位置している。ここで、上記ノズル開閉蓋１２ａは、局部洗浄ノズル３の伸張時に、洗浄ノズル３の押圧力によって押し上げられて、ノズル用リム開口部２ａを開く構造となっている。また、送風開閉蓋１２ｂは、乾燥装置１１からの送風の風圧で持ち上げられて、送風用リム開口部２ｂを開く構造となっている。
【００１８】
収納状態にある局部洗浄ノズル３の下方の局部洗浄ユニット４の基台４ａには、図２（ｂ）に示すように、局部洗浄ノズル３から滴下する液体Ｓを受けて便器のボウル部１へ流すための滴下受け流し部７が備えられている。滴下受け流し部７は、局部洗浄ユニット４の基台４ａに対して着脱自在に設けられている。ここで、図２（ｂ）では、局部洗浄ノズル３およびノズル開閉蓋１２ａの図示は省略している。
【００１９】
このような構造とすることで、滴下受け流し部７で、局部洗浄ノズル３内に残っていた液体Ｓを受けて便器のボウル部１に流すことができるので、局部洗浄ユニット４の基台４ａに水垢等を付着しにくく、さらに、滴下受け流し部７を局部洗浄ユニット４の基台４ａから取り外しできるので、滴下受け流し部７に付着した水垢等を清掃することができる。よって、本発明の実施形態１に示す便器構造においては、局部洗浄ノズル３周りに付着した水垢等を清掃するための空間を便器構造内に設けることなく、または、この空間を設けたとしても比較的狭い空間で良いため、コンパクトでありながら、局部洗浄ノズル３周りに付着した水垢等を容易に清掃することができる。また、滴下受け流し部７を取り外してできた空間を用いて、局部洗浄ノズル３の下面を掃除することも可能となる。
【００２０】
本発明の実施形態１の便器構造の滴下受け流し部７に関してさらに詳細に説明すると、滴下受け流し部７の上面からは、左右両側から後部に亘って連続する側方水止め用突起８ａ、８ｂ及び後方水止め用突起８ｃからなる水止め用突起８を上方に向かって突出させている。後方水止め用突起８ｃは、側方水止め用突起８ａ、８ｂよりも低く設けられており、図３に示すように、滴下受け流し部７を局部洗浄ユニット４の基台４ａから取り外す際に、局部洗浄ノズル３の出し入れをガイドするノズルガイド筒１３の先端下端１３ｃに接触しない高さに設定されている。
【００２１】
滴下受け流し部７は、局部洗浄ノズル３に対して略平行に設けられており、ボウル部１に近づくほど下方に位置するように傾斜（つまり、前下り傾斜）しているので、後方水止め用突起８ｃの高さが低めに設定されていても、後方水止め用突起８ｃを越えて、局部洗浄ユニット４に液体Ｓがこぼれないようになっている。このように、後方水止め用突起８ｃを低く設けることで、後方水止め用突起８ｃが邪魔になって滴下受け流し部７を局部洗浄ユニット４の基台４ａにスライドできないといったことはない。
【００２２】
また、側方水止め用突起８ａ、８ｂは、ノズルガイド筒１３の先端下端の左右両側を挟む位置及び高さに設けられており、液体Ｓが滴下受け流し部７の側方からこぼれて、局部洗浄ユニット４にこぼれないようになっている。なお、側方水止め用突起８ａ、８ｂの高さは、ノズル用リム開口部１２ａより滴下受け流し部７を引き出す際に邪魔にならない程度の高さまでは、設定可能である。
【００２３】
滴下受け流し部７の両側端には、外方に向けて凸の取り付け部９を設け、局部洗浄ユニット４の基台４ａの前面開口部４ｂの両側には、滴下受け流し部７の両側端の取り付け部９の位置に対応して、凹の被取り付け部１０を設けており、凹の被取り付け部１０に凸の取り付け部９を便器のボウル部１側からスライドさせて着脱可能としている。ここで、取り付け部９は、滴下受け流し部７の両側端に設けているので、滴下受け流し部７を局部洗浄ユニット４の基台４ａにスライドさせて着脱させる際、取り付け部９がノズルガイド筒１３に接触するようなことはない。
【００２４】
なお、滴下受け流し部７を局部洗浄ユニット４の基台４ａに着脱する際には、ノズル開閉蓋１２ａを持ち上げて着脱させる。本発明の実施形態１では、図３に示すように、局部洗浄ユニット４の基台４ａに、上端を枢支するようにノズル開閉蓋１２ａを設けているが、滴下受け流し部７の側方水止め用突起８ａ、８ｂのボウル部１側の上端に、ノズル開閉蓋１２ａを設けるような構成としても良い（図示せず）。このような構成とすれば、ノズル開閉蓋１２ａをわざわざ持ち上げなくても、滴下受け流し部７をノズル開閉蓋１２ａと一緒に局部洗浄ユニット４の基台４ａから着脱させることができる。
【００２５】
また、取り付け部９を被取り付け部１０にスライドさせて取り付けた際に、取り付けた状態でストップさせるストッパー構造を、取り付け部９又は被取り付け部１０、若しくはその両方に設けることが好ましい。このとき、スライドさせやすいように、取り付け部９又は被取り付け部１０にスライド用ローラーを設けても良い。また、上記実施形態１では、凸の取り付け部９と、凹の被取り付け部１０を設けたが、凸と凹が逆であっても構わない。
【００２６】
このような構造とすることで、水止め用突起８で、局部洗浄ノズル３から滴下した液体Ｓが滴下受け流し部７の両側方や後方に流れて局部洗浄ユニット４の基台４ａにこぼれてしまうことを確実に防ぐことができる。また、滴下受け流し部７を便器のボウル部１側から局部洗浄ユニット４の基台４ａにスライドさせて着脱可能としたことで、もし滴下受け流し部７に液体Ｓが残っていて便器のボウル部１側にスライドさせて取り外す途中でこぼれてしまっても、便器のボウル部１に流れるので、局部洗浄ユニット４の基台４ａや床にこぼれることはない。また、滴下受け流し部７に液体Ｓが残っていても、滴下受け流し部７を局部洗浄ユニット４の基台４ａからボウル部１側に外してそのままボウル部１に液体Ｓを捨てることができる。
【００２７】
よって、滴下受け流し部７に水止め用突起８を設け、便器のボウル部１側にスライドさせて着脱自在としたことで、局部洗浄ノズル３から滴下した液体Ｓを局部洗浄ユニット４の基台４ａにこぼすことなく、便器のボウル部１に受け流すことができる。
【００２８】
なお、上記のように局部洗浄ユニット４内に液体Ｓがこぼれないようにすることで、局部洗浄ユニット４内の局部洗浄ノズル３や乾燥装置１１を駆動制御する制御機器が濡れてショートを起こしてしまうような問題も回避することができる。
【００２９】
ここで、図３に示す実施形態１のように、局部洗浄ユニット４に滴下受け流し部７を設置するための空間を別途設けて取り付けるのではなく、図４に示す実施形態２のように、実施形態１の滴下受け流し部７を設けていた部分の下方に位置する局部洗浄ユニット４の基台４ａを、図２（ｂ）に示すような水止め用突起８、取り付け部９及び被取り付け部１０を設けた形状として、滴下受け流し部７を形成しても良い。ここで、後方水止め用突起８ｃは、側方水止め用突起８ａ、８ｂよりも低く設けられており、滴下受け流し部７を局部洗浄ユニット４の基台４ａから取り外す際に、局部洗浄ノズル３の出し入れをガイドするノズルガイド筒１３の先端下端１３ｃに接触しない高さに設定されている。また、滴下受け流し部７は、ボウル部１に近づくほど下方に位置するように傾斜（つまり、前下り傾斜）している。
【００３０】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３１】
１          ボウル部
２          リム部
２ａ        ノズル用リム開口部
２ｂ        送風用リム開口部
３          局部洗浄ノズル
４          局部洗浄ユニット
４ａ        基台
４ｂ        前面開口部
６          スカート部
７          滴下受け流し部
８          水止め用突起
８ａ、８ｂ  側方水止め用突起
８ｃ        後方水止め突起
９          取り付け部
１０        被取り付け部
１１        乾燥装置
１２ａ      ノズル開閉蓋
１２ｂ      送風開閉蓋
１３        ノズル筒
１３ｃ      ノズル筒の先端下端
Ｓ          滴下する液体
【図１】
2011026901.tif 000003
【図２】
2011026901.tif 000004
【図３】
2011026901.tif 000005
【図４】
2011026901.tif 000006
【図５】
2011026901.tif 000007
【図６】
2011026901.tif 000008